(57)【要約】【課題】  脊椎のＳ字状湾曲が未発達の子供が３〜５Ｋｇもあるランドセル等の背負鞄を背負うと、背部の後わんを強めて猫背姿勢となり、目線が下方を強いられていた点を改善する。【解決手段】  背板Ｓの、左右肩胛骨付近に当接する第１領域と、左右腰骨の上方付近に当接する第２領域には、高さが最も高い隆起部１ａ，１ｂ，２ａ，２ｂを、前記第１領域と前記第２領域の間に位置する第３領域には、脊柱突起の突出を収容するように左右方向に所定の間隔を設けて、中間の高さの隆起部３ａ，３ｂを凸設するとともに、前記左右２箇所の第２領域の間の第４領域には、最も低い高さの隆起部４を凸設する。【効果】  体幹に沿った、背中の後わん形状に良く密着する理想的な凹状の曲面が、背板の全範囲について形成されるので、背中の後わんを強めて猫背姿勢となることはなくなり、正しい姿勢で鞄を背負うことができる。【選択図】        図１
2005110791.tif 000002
【特許請求の範囲】
【請求項１】
背板に、高さを段階的に変化させた複数の隆起部を凸設した背負鞄であって、前記背板の、左右肩胛骨付近に当接する第１領域と、左右腰骨の上方付近に当接する第２領域には、高さが最も高い隆起部を、前記第１領域と前記第２領域の間に位置する第３領域には、脊柱突起の突出を収容するように左右方向に所定の間隔を設けて、中間の高さの隆起部を凸設するとともに、前記左右２箇所の第２領域の間の第４領域には、最も低い高さの隆起部を凸設したことを特徴とする背負鞄。
【請求項２】
肩ベルトを肩ベルト取付具のアーム部に固定するとともに、前記アーム部の向きを上向きに形成することにより、前記肩ベルトの付け根部分を上方に引き上げられた形状となしたことを特徴とする請求項１記載の背負鞄。
【発明の詳細な説明】
【技術分野】
【０００１】
本発明は、背板に隆起部を凸設したランドセル、リュックサック等の背負鞄に係り、特に、背板部分の通気性が良好で、しかも、鞄を背負った状態において猫背姿勢となることがないように構成された背負鞄に関するものである。
【背景技術】
【０００２】
図７は、人の背骨を側方から見た状態を表した模式図である。人間の背骨は、生後８〜１２ヶ月までは丸く未発達であるが、直立二足歩行を始めて成長するに従い、徐々に、図７に示すように、頚椎部であるＸの部分において前わん、肩より肩胛骨部にかけてのＹの部分において後わん、腰部であるＺの部分において再び前わんとなるように発達する。
【０００３】
このように、脊椎が身体の後部でＳ字状湾曲をなすように発達すること及び骨盤との連携により、人間は、重い頭部や肺、心臓、胃、腸などの臓器の重心を体の前方で保ち、脊椎のＳ字状湾曲の中心に位置するようにして支えることができるのである。
【０００４】
ところで、従来より、歩行時に背板面が背中で滑動するのを抑制し、鞄を背負ったときのフィット感を向上させることができるランドセル等の背負鞄が提案されている。
【特許文献１】実用新案登録第３００１８９６号公報
【０００５】
具体的には、特許文献１には、スポンジ等のクッション材を表皮で覆った背当面に略Ｕ字状の縫目を入れて、その縫目に沿った箇所を凹ませることにより、縫目の内側箇所と外側箇所とに、それぞれ凸状部を設ける例が開示されている。
【０００６】
また、従来より、フィット感の向上とともに、背板と背中の接触面の通気性を向上させることができるランドセル用の背板も提案されている。
【特許文献２】実用新案登録第３０８７２６２号公報
【特許文献３】実用新案登録第３０５９１５０号公報
【０００７】
具体的には、特許文献２には、背板における芯材と表皮との間に、適度の厚さを有する長方形状のスポンジ体と円形状のスポンジ体を配列固定する構成において、背板の中央部に前記長方形状のスポンジ体を縦長に配置し、該中央のスポンジ体の両側及び下部に複数個の前記円形状のスポンジ体を適度の間隔をあけて配置すると共に、前記スポンジ体の形状に沿って前記表皮上をミシン縫着してスポンジ体を固定し、背板上を凹凸状に形成する構成が開示されている。
【０００８】
また、特許文献３には、主版とこれの外面に重合した外装版との間にスポンジ等の弾性材を介挿してなるランドセルの背護版において、上記外装版に、通気用縦溝と通気用横溝とが十字形に交差して凹設されるとともに、その通気用横溝を挟む上下両側で、かつ、通気用縦溝を挟む左右両側に、それぞれ隆起部分が凸設されるようにして、それらの境界に沿って、外装版、弾性材及び主版を縫い糸により縫合していることを特徴とするランドセルの背護版が開示されている。
【０００９】
しかしながら、以上述べてきたランドセル等の背負鞄は、フィット感の向上や背中の通気性の向上のみを考慮していたため、以下に述べるような問題点があった。
１）  前述したように、人間の脊椎のＳ字状湾曲は、成長に従って徐々に完成するものであり、小学生低学年の頃には、まだ未完成の状態である。そのため、脊椎のＳ字状湾曲が未発達な子供が３〜５Ｋｇもあるランドセルを背部に保つには、どうしても背部において後わんを強め、いわゆる猫背姿勢で重心を保つこととなる。そのため、従来の背負鞄を背負う者は、前屈みの猫背姿勢となりがちであり、目線は下方を向くことを強いられていた。この問題点は、特に、子供において、顕著に表れる。
２）  人の背中の中央には、脊椎の椎弓棘突起による突出があるが、従来の背負鞄は、この椎弓棘突起による突出を収容するように背板面の形状を考慮したものは存在しなかった。
【００１０】
３）  また、上記の点に加え、図８に示すような、従来のランドセル１００は、例えば金属製の素材をリング状に形成したベルト取付環１０１により、肩ベルト１０２をランドセル１００の本体に取付けたものであって、肩ベルト１０２の付け根部分が、背板１０３に対してほぼ直角の状態になっていたため、ランドセル１００を背負うと、図８に示すように、背板１０３が背中に沿わず、ランドセル１００の本体が後方へ反り返った状態となっていた。そのため、このような従来の背負鞄を背負う者は、この後方に引っ張る力に対抗するため、一層、背部において後わんを強め、猫背姿勢となっていた。
【００１１】
以上の問題点を解決するには、体幹に沿った、背中の後わん形状に良く密着する凹状の曲面を、背板の全範囲について形成する必要がある。
【発明の開示】
【発明が解決しようとする課題】
【００１２】
解決しようとする課題は、脊椎のＳ字状湾曲が未発達の子供が３〜５Ｋｇもあるランドセル等の背負鞄を背負うと、背部の後わんを強めて猫背姿勢となり、目線が下方を強いられていた点を改善し、鞄を背負う者の姿勢を良くする点にある。
【課題を解決するための手段】
【００１３】
本発明は、背板に、高さを段階的に変化させた複数の隆起部を凸設した背負鞄であって、前記背板の、左右肩胛骨付近に当接する第１領域と、左右腰骨の上方付近に当接する第２領域には、高さが最も高い隆起部を、前記第１領域と前記第２領域の間に位置する第３領域には、脊柱突起の突出を収容するように左右方向に所定の間隔を設けて、中間の高さの隆起部を凸設するとともに、前記左右２箇所の第２領域の間の第４領域には、最も低い高さの隆起部を凸設したことを最も主要な特徴点とする。
【発明の効果】
【００１４】
本発明によれば、背板中央部分については、左右２箇所の第２領域の間に設けた谷間部が、脊椎の椎弓棘突起の突出を収容しつつ、下方においては、最も高さの低い第４領域にかけて緩やかに隆起する凹状の曲面が形成される。また、背板の左右両端付近の上下方向については、中間の高さの第３領域を底部とし、最も高い第１領域及び第２領域にかけて隆起する凹状の曲面が形成される。
こうすることにより、体幹に沿った、背中の後わん形状に良く密着する理想的な凹状の曲面が、背板の全範囲について形成されるので、本発明の背負鞄を背負う者は、背中の後わんを強めて猫背姿勢となることはなくなり、正しい姿勢で鞄を背負うことができる。また、正しい重心が得られて姿勢が良くなるから、目線も正しく前方を向くようになる。
【発明を実施するための最良の形態】
【００１５】
本発明の背負鞄は、背板に、高さを段階的に変化させた複数の隆起部を凸設した背負鞄であって、前記背板の、左右肩胛骨付近に当接する第１領域と、左右腰骨の上方付近に当接する第２領域には、高さが最も高い隆起部を、前記第１領域と前記第２領域の間に位置する第３領域には、脊柱突起の突出を収容するように左右方向に所定の間隔を設けて、中間の高さの隆起部を凸設するとともに、前記左右２箇所の第２領域の間の第４領域には、最も低い高さの隆起部を凸設したものである。
【００１６】
前記本発明において、肩ベルトを肩ベルト取付具のアーム部に固定するとともに、前記アーム部の向きを上向きに形成することにより、前記肩ベルトの付け根部分を上方に引き上げられた形状に構成すれば、鞄を背負った際、肩が上方に引き上げられた肩ベルトの湾曲部内にきっちりと収まるため、背板が背中と平行に沿う状態が維持される。そのため、ランドセル等の背負鞄が後方に反り返る方向に力が加わることがなくなり、より一層、正しい姿勢を保ち易くなるため、好適である。また、こうすることにより、鎖骨を開く方向に荷重が加わるため、鞄を背負う者の姿勢はさらに良くなる。
【実施例】
【００１７】
以下、本発明の背負鞄の実施例であるランドセルの構成を、添付図面を参照して詳細に説明する。
図１は、本実施例のランドセルＲを背板Ｓの方向から見た斜視図である。背板Ｓには、図１に示すように、複数の隆起部１ａ，１ｂ，２ａ，２ｂ，３ａ，３ｂ及び４が凸設されており、１ａ，１ｂは、ランドセルＲを背負った際、左右肩胛骨と当接する付近の部分である第１領域に設けた隆起部を、２ａ，２ｂは、左右腰骨の上方と当接する付近の部分である第２領域に設けた隆起部を、３ａ，３ｂは、第１領域と第２領域の間の部分である第３領域に、左右方向に３〜５ｃｍの間隔を空けて凸設した隆起部を、４は、左右２箇所の第２領域の間の部分である第４領域に設けた隆起部を表している。また、７は、例えば、隆起部１ａ, １ｂと隆起部３ａ, ３ｂの境界や、隆起部２ａ, ２ｂと隆起部３ａ, ３ｂの境界に設けた通気用溝を表している。
【００１８】
背板Ｓは、図示していないが、樹脂製の基板に皮革製の表生地を取付けて構成されるものである。そして、隆起部１ａ〜４は、その基板と表生地の間に、例えばスポンジ等の弾性材を圧縮して詰め、その周囲を縫い糸で縫合することにより、基板の位置から所要の高さだけ隆起させて形成したものである。
【００１９】
背板Ｓの中央上部には、肩ベルト５をランドセルＲの本体に取付けるための肩ベルト取付具６が設けられている。肩ベルト取付具６は、アーム部６ａと、このアーム部６ａを左右方向に回動自在に固定する台座部からなる部材であり、アーム部６ａの構成については後述する。
【００２０】
次に、背板Ｓの部分のみを表した図２と、この図２における所定の部位の端面を表した図３〜図４を参照しながら、隆起部１ａ〜４の配置並びに高さ関係について説明する。
【００２１】
先ず、第１領域に凸設する隆起部１ａ，１ｂは、各隆起部の丸みを帯びた頂点が左右肩胛骨と当接するように、左右方向に所定の間隔を空けて設けられたものである。従って、図２におけるＡ−Ａ’線で切断したときの端面を表した図３（ａ）に示すように、背板Ｓの上方においては、隆起部１ａ，１ｂにより、背中の肩胛骨付近の左右方向の湾曲に沿う凹状の曲面が形成される。なお、図３（ａ）に示すように、隆起部１ａ，１ｂの間には、隆起部を設けない領域である、谷間部３ｃの上端付近の部分が位置している。
【００２２】
次に、第２領域に凸設する隆起部２ａ，２ｂは、隆起部１ａ, １ｂとほぼ同じ高さの丸みを帯びた頂点を有する隆起部であって、その各頂点が左右腰骨の上方付近と当接するように、左右方向に間隔を空けて設けられたものである。また、隆起部２ａ, ２ｂの間の第４領域には、後述する隆起部３ａ, ３ｂよりもさらに高さの低い隆起部４を設けている。従って、図２におけるＣ−Ｃ’線で切断したときの端面を表した図３（ｂ）に示すように、背板Ｓの下方においては、隆起部４を底部とし、隆起部２ａ, ２ｂにかけて緩やかに隆起する凹状の曲面が形成され、これが、腰骨の上方部における左右方向の湾曲に沿った形状となる。
【００２３】
また、第１領域と第２領域の間に位置する第３領域には、脊柱突起の突出を収容するように、左右方向に間隔を設けて、隆起部３ａ，３ｂが凸設されている。隆起部３ａ，３ｂの高さは、隆起部１ａ，１ｂ，２ａ，２ｂの高さと、隆起部４の高さの中間程度となるようにしている。従って、図２におけるＢ−Ｂ’線で切断したときの端面を表した図３（ｃ）に示すように、背中の中央付近においては、谷間部３ｃが、脊柱突起の突出を収容しつつ、隆起部３ａ, ３ｂにかけて隆起する凹状の曲面が形成され、これが、背中の中央付近の左右方向の湾曲に沿うこととなる。
【００２４】
また、図４（ａ）は、図２におけるＤ−Ｄ’線で切断したときの、図４（ｂ）は、図２におけるＥ−Ｅ’線で切断したときの、端面図である。
本実施例のランドセルＲは、上記のように隆起部１ａ〜４を配置したので、脊椎に沿う背中中央の上下方向のラインにおいては、図４（ａ）に示すように、谷間部３ｃから隆起部４にかけて緩やかに隆起する曲面が形成される。また、この中央のラインの左側においては、第３領域の隆起部３ａを底部とし、第１領域の隆起部１ａ及び第２領域の隆起部２ａにかけて隆起する凹状の曲面が形成される。また、中央のラインの右側においても、隆起部３ｂを底部とし、隆起部１ｂ及び２ｂにかけて隆起する凹状の曲面が形成される。このように、背板Ｓは、上下方向のラインについても、背中の後わん形状にきっちりと沿う形状のものとなっている。
【００２５】
以上のような構成としたため、本実施例のランドセルＲは、体幹に沿った、背中の後わん形状に良く密着する理想的な凹状の曲面が、背板Ｓの全範囲について形成されているので、正しい姿勢でランドセルＲを背負うことができ、前傾を強めた猫背姿勢となることはなくなる。また、正しい重心が得られて姿勢が良くなるから、目線も正しく前方を向くようになる。
【００２６】
次に、図５は、ランドセルＲの肩ベルト５の取付部分を拡大した説明図、図６は、ランドセルＲを背負った状態を表した説明図である。本実施例のランドセルＲは、図５に示すように、肩ベルト５を、肩ベルト取付具６のアーム部６ａにリベット６ｂで固定するとともに、樹脂や金属等の硬質な素材でできたアーム部６ａの向きを上向きに形成している。こうすることにより、肩ベルト５の付け根部分は、上方に引き上げられた形状となる。
【００２７】
従って、本実施例のランドセルＲを背負った際には、図６に示すように、肩ベルト５の湾曲部内に肩がきっちりと収まるため、背板Ｓが背中と平行に沿う状態が維持される。そのため、ランドセルＲが後方に反り返る方向に力が加わることはなくなり、また、鎖骨を開く方向に荷重が加わるため、より一層、正しい姿勢を保つことができる。
【００２８】
また、以上の点に加え、本実施例のランドセルＲを使用した場合には、以下に述べるような作用・効果も得られる。
１）  背板と背中の当接面が平坦なものであると、その部分の通気性が悪く、汗を生じやすくなって不快である。しかし、本実施例のランドセルＲの隆起部１ａ〜４は、頂点が丸みを帯びたものであって、これらと背中との当接面が丸くなるように形成されている。従って、背中との当接面積が小さくなり、背板と背中の間の通気性が良くなる。また、各隆起部の境界に、通気用溝７を設けるようにしたので、特許文献３に開示されているような、通気用溝を十字状に形成した従来の背負鞄と比較しても、さらに空気の逃げ道が多くなっており、好適な通気性が得られる。
【００２９】
２）  また、背板が平坦な当接面により背中と接すると、鞄を背負って歩行する際に、上下に滑動しやすく、フィット性も悪いものである。しかし、本実施例のランドセルＲの隆起部１ａ〜４は、これらと背中との当接面が丸くなるように形成されているため、フィット性にも優れるものである。さらに、左右両側には、中間的な高さの隆起部３ａ, ３ｂを、下方には、最も高さの低い隆起部４を設けるようにしたので、特許文献３に開示されているような、左右両側と下方に隆起部が存在しない従来の背負鞄よりも、さらにフィット性が良くなり、好適である。
【産業上の利用可能性】
【００３０】
なお、実施例では、本発明の背負鞄をランドセルとして実施する場合の例を示したが、本発明の背負鞄は、例えばリュックサック等であっても良く、実施例に開示したランドセルに限定されないことは言うまでもない。また、背板の材質や隆起部を設けるための手段が、実施例に開示したものに限定されないことは勿論である。
【図面の簡単な説明】
【００３１】
【図１】本発明のランドセルを背板方向から見た斜視図である。
【図２】本発明のランドセルの背板部分のみを表した説明図である。
【図３】（ａ）は、図２におけるＡ−Ａ’線で切断したときの、（ｂ）は、図２におけるＢ−Ｂ’線で切断したときの、（ｃ）は、図２におけるＣ−Ｃ’線で切断したときの、端面図である。
【図４】（ａ）は、図２におけるＤ−Ｄ’線で切断したときの、（ｂ）は、図２におけるＥ−Ｅ’線で切断したときの、端面図である。
【図５】本発明のランドセルの肩ベルトの取付部分を拡大した説明図である。
【図６】本発明のランドセルを背負った状態を表した説明図である。
【図７】人の脊椎の形状を表した模式図である。
【図８】従来のランドセルを背負った状態を表した説明図である。
【符号の説明】
【００３２】
Ｓ  背板
１ａ，１ｂ  隆起部
２ａ，２ｂ  隆起部
３ａ，３ｂ  隆起部
４  隆起部
５  肩ベルト
６  肩ベルト取付具
６ａ  アーム部
【図１】
2005110791.tif 000003
【図２】
2005110791.tif 000004
【図３】
2005110791.tif 000005
【図４】
2005110791.tif 000006
【図５】
2005110791.tif 000007
【図６】
2005110791.tif 000008
【図７】
2005110791.tif 000009
【図８】
2005110791.tif 000010